(57)【要約】【課題】  、多様な方法で占いを行うことを可能にする占い用具を提供する。【解決手段】  、石組み合わせ体１１は、３つの球状の天然石３１、３３、３５と、それらを連結する線状部材４１とを有する。天然石３１、３３、３５は、それぞれ中心を通る貫通孔を備えている。線状部材４１は、３つの天然石３１、３３、３５の貫通孔を貫通してリング状に形成されている。このとき、線状部材４１は、天然石３１、３３、３５の中心が仮想三角形の頂点に位置するように、天然石３１、３３、３５の貫通孔を貫通している。【選択図】  図１
0003220520.tif 000002
【実用新案登録請求の範囲】
【請求項１】
それぞれ略中心を通る貫通孔を備えた球形状の３つの天然石と、
前記３つの天然石の前記貫通孔を通り、リング状に形成された線状部材と
を有し、
前記線状部材は、前記天然石の中心が仮想三角形の頂点に位置するように、前記３つの天然石の前記貫通孔を貫通してリング状に形成されている
石組み合わせ体
を有する占い用具。
【請求項２】
前記３つの天然石の組み合わせが異なる３つの前記石組み合わせ体を備えた
石組み合わせ群体
を有する
請求項１に記載の占い用具。
【請求項３】
前記石組み合わせ群体は、
少なくとも第１及び第２の種類の前記天然石で構成され、前記第１の種類の天然石の数が、１個、２個、３個の３種類の前記石組み合わせ体を備えている
請求項２に記載の占い用具。
【請求項４】
前記天然石の組み合わせが異なる複数の前記石組み合わせ群体
を有する
請求項３に記載の占い用具。
【考案の詳細な説明】
【技術分野】
【０００１】
本考案は、占い用具に関する。
【背景技術】
【０００２】
自然界で生まれる鉱物、その中でも、とりわけ上質な波動を持つ物は一般的に"パワーストーン"と呼ばれます。厳選された良質な天然石とお客様との出逢いから、今の自分の心身の状態や人生の道筋を分かりやすく知るための方法としてパワーストーン占いがある。
【考案の開示】
【考案が解決しようとする課題】
【０００３】
ところで、パワーストーンを使ってより多様な方法で占いを行いたいとうい要請がある。
また、ある程度学習をすることで、他人を占える技術を取得できるようにしたいという要請がある。
【０００４】
上述した従来技術の問題点を解決し、上述した目的を達成するため、多様な方法で占いを行うことを可能にする占い用具を提供することを目的とする。
また、本考案は、ある程度学習をすることで、他人を占える技術を取得できる占い用具を提供することを目的とする。
【課題を解決するための手段】
【０００５】
本考案の占い用具は、それぞれ略中心を通る貫通孔を備えた球形状の３つの天然石と、前記３つの天然石の前記貫通孔を通り、リング状に形成された線状部材とを有し、前記線状部材は、前記天然石の中心が仮想三角形の頂点に位置するように、前記３つの天然石の前記貫通孔を貫通してリング状に形成されている石組み合わせ体を有する。
【０００６】
好適には、前記３つの天然石の組み合わせが異なる３つの前記石組み合わせ体を備えた石組み合わせ群体を有する。
【０００７】
好適には、前記石組み合わせ群体は、少なくとも第１及び第２の種類の前記天然石で構成され、前記第１の種類の天然石の数が、１個、２個、３個の３種類の前記石組み合わせ体を備えている。
【０００８】
好適には、前記天然石の組み合わせが異なる複数の前記石組み合わせ群体を有する。
【考案の効果】
【０００９】
本考案によれば、多様な方法で占いを行うことを可能にする占い用具を提供することができる。
また、本考案によれば、ある程度学習をすることで、他人を占える技術を取得できる占い用具を提供することができる。
【図面の簡単な説明】
【００１０】
【図１】図１は、本考案の実施形態に係わる占い用具の構成要素である石組み合わせ体の平面図である。
【図２】図２は、図１に示す石組み合わせ体の正面図である。
【図３】図３は、本考案の実施形態に係わる石組み合わせ群体を説明するための図である。
【図４】図４は、本考案の実施形態に係る占い用具を用いた占い方法を説明するためのフローチャートである。
【考案を実施するための最良の形態】
【００１１】
「人生」というと非常に壮大に感じることがある。しかし、昨日の延長線上に今日があり、今日の延長線上に明日がある。その一日一日の積み重ねが、結果的に自分の「未来」を決めたり、新たな「出逢い」や「可能性」をも変えていくことがある。
【００１２】
何万年、何億年の長い時を駆けて生まれた鉱物、その神秘的な魅力は、見た目の美しさ・希少性や大地の豊穣さ、そして言葉では言い表せない“不思議な体験”に詰まっている。
現代では「アクセサリー」の一環として身に着けられる事の多い“天然石”であるが、人と天然石の歴史は古代から続いている。昔は薬石として心身の不調を治す目的で使用されている事が多く、“自然と共存”する為に存在していたのだと考えられている。
【００１３】
以下、本考案の実施形態に係る占い用具、並びにそれを用いた占い方法を、図面を参照しながら説明する。
図１は、本考案の実施形態に係わる占い用具１の構成要素である石組み合わせ体１１の平面図である。図２は、図１に示す石組み合わせ体１１の正面図である。
図１に示すように、石組み合わせ体１１は、３つの球状の天然石３１、３３、３５と、それらを連結する線状部材４１とを有する。
【００１４】
天然石３１、３３、３５は、それぞれ中心を通る貫通孔を備えている。
線状部材４１は、３つの天然石３１、３３、３５の貫通孔を貫通してリング状に形成されている。
このとき、線状部材４１は、天然石３１、３３、３５の中心が仮想三角形２５の頂点に位置するように、天然石３１、３３、３５の貫通孔を貫通している。
【００１５】
図３は、石組み合わせ群体４５を説明するための図である。
本実施形態の占い用具１の石組み合わせ群体４５は、天然石３１、３３、３５の組み合わせが異なる３つの石組み合わせ体１１−１，１１−２，１１−３を備えている。
図３に示すように、石組み合わせ体１１−１，１１−２，１１−３は、第１の種類の天然石５１及び第２の種類の天然石５３で構成され、第１の種類の天然石５１の数が、それぞれ１個、２個、３個である３種類石組み合わせ体１１である、この石組み合わせ体１１−１，１１−２，１１−３によって１つの石組み合わせ群体４７を構成している。
【００１６】
占い用具１は、相互に異なる３６種類の石組み合わせ群体４７を備えている。石組み合わせ群体４７の種類は７２、あるいはそれ以外でもよい。
【００１７】
以下、占い用具１を用いた占い方法を説明する。
ステップＳＴ１：
セラピストは、例えば、３６種類の石組み合わせ群体４７の石組み合わせ体１１−３を机の上に置き、被占い者に一番気になる一つの石組み合わせ体１１−３を選ばせる（１回目の選択）。
被占い者がステップＳＴ１で選んだ石組み合わせ体１１−３は、当該被占い者の現在の状態を示すと言われている。
【００１８】
ステップＳＴ２：
セラピストは、ステップＳＴ１で選んだ石組み合わせ体１１−３以外の３５種類の石組み合わせ群体４７から、次に番気になる一つの石組み合わせ体１１−３を被占い者に選ばせる（２回目の選択）。
被占い者がステップＳＴ２で選んだ石組み合わせ体１１−３は、当該被占い者の過去の状態を示すと言われている。
【００１９】
ステップＳＴ３：
セラピストは、ステップＳＴ１、ＳＴ２で選んだ石組み合わせ体１１−３以外の３４種類の石組み合わせ群体４７から、次に番気になる一つの石組み合わせ体１１−３を被占い者に選ばせる（３回目の選択）。
被占い者がステップＳＴ２３選んだ石組み合わせ体１１−３は、当該被占い者の未来の状態を示すと言われている。
【００２０】
ステップＳＴ４：
セラピストは、ステップＳＴ１で選んだ石組み合わせ体１１−３と同じ石組み合わせ群体４７を構成する３つの石組み合わせ体１１−１，１１−２，１１−３を机の上に置き、被占い者に一番気になる一つの石組み合わせ体１１を選ばせる（４回目の選択）。
被占い者がステップＳＴ４で選んだ石組み合わせ体１１は、当該被占い者の現在の状態をさら詳しく知る手がかりとする。
【００２１】
ステップＳＴ５：
セラピストは、ステップＳ２で選んだ石組み合わせ体１１−３と同じ石組み合わせ群体４７を構成する３つの石組み合わせ体１１−１，１１−２，１１−３を机の上に置き、被占い者に一番気になる一つの石組み合わせ体１１を選ばせる（５回目の選択）。
被占い者がステップＳＴ５で選んだ石組み合わせ体１１は、当該被占い者の過去の状態をさら詳しく知る手がかりとする。
【００２２】
ステップＳＴ６：
セラピストは、ステップＳＴ３で選んだ石組み合わせ体１１−３と同じ石組み合わせ群体４７を構成する３つの石組み合わせ体１１−１，１１−２，１１−３を机の上に置き、被占い者に一番気になる一つの石組み合わせ体１１を選ばせる（６回目の選択）。
被占い者がステップＳＴ６で選んだ石組み合わせ体１１は、当該被占い者の未来の状態をさら詳しく知る手がかりとする。
【００２３】
以上説明したように、占い用具１を用いて上述した方法で占いをすることで、被占い者の現在、未来、将来を占うことができる。
【００２４】
占い用具１で用いる天然石は、パワーストーンであり、独自の方法と厳選した石を用いて被占い者のより良い人生を見る為の新しい手法を提供する。
専門的な知識に基づき、被占い者の「過去・現在・未来」の人生の流れを読み解く事によって、今以上に自分らしく輝く人生へと気付く助けとなる。
占い用具１は、ただの占いではなく、天然石を通して持つ人の人生の可能性を見付け、より心穏やかでその人らしい良い運気の流れへと導く為の方法を提供する。
また、占い用具１によれば、ある程度学習をすることで、他人を占える技術を取得することができる。
【００２５】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
【産業上の利用可能性】
【００２６】
本考案は、例えば、占い用具に適用可能である。
【符号の説明】
【００２７】
１…占い用具
１１…石組み合わせ体
３１、３３、３５…天然石
４１…線状部材
４７…石組み合わせ群体
５１…第１の種類の天然石
５３…第２の種類の天然石
【図１】
0003220520.tif 000003
【図２】
0003220520.tif 000004
【図３】
0003220520.tif 000005
【図４】
0003220520.tif 000006
【手続補正書】
【提出日】平成31年1月21日(2019.1.21)
【手続補正１】
【補正対象書類名】実用新案登録請求の範囲
【補正対象項目名】全文
【補正方法】変更
【補正の内容】
【実用新案登録請求の範囲】
【請求項１】
それぞれ略中心を通る貫通孔を備えた球形状の３つの天然石と、
前記３つの天然石の前記貫通孔を通り、リング状に形成された線状部材と
を有し、
前記線状部材は、前記天然石の中心が仮想三角形の頂点に位置するように、前記３つの天然石の前記貫通孔を貫通してリング状に形成されている
石組み合わせ体
を有する占い用具。
【請求項２】
前記３つの天然石の組み合わせが異なる３つの前記石組み合わせ体を備えた
石組み合わせ群体
を有する
請求項１に記載の占い用具。
【請求項３】
前記石組み合わせ群体は、
少なくとも第１及び第２の種類の前記天然石で構成され、前記第１の種類の天然石の数が、１個、２個、３個の３種類の前記石組み合わせ体を備えている
請求項２に記載の占い用具。
【請求項４】
前記天然石の種類の組み合わせが異なる複数の前記石組み合わせ群体
を有する
請求項３に記載の占い用具。
【手続補正２】
【補正対象書類名】明細書
【補正対象項目名】０００８
【補正方法】変更
【補正の内容】
【０００８】
好適には、前記天然石の種類の組み合わせが異なる複数の前記石組み合わせ群体を有する。